(57)【特許請求の範囲】
【請求項１】
透明な板部材を枠体で保持して構成されるリモートコントロール装置であって、
前記板部材が前記枠体に対してスライド可能に保持されるとともに、
前記枠体の内部にはスイッチが設けられており、
前記板部材には前記板部材がスライドしたときに前記スイッチを押下するスイッチ押下部が設けられ、
前記板部材がスライドしたときにスライドする可視部分がすべて透明であることを特徴とする、リモートコントロール装置。
【請求項２】
前記スイッチとして、前後左右の各方向に対応した４つのスイッチを設け、
前記板部材には、前記４つのスイッチの各々に対応した４つのスイッチ押下部を設けたことを特徴とする、請求項１記載のリモートコントロール装置。
【請求項３】
前記枠体に対してスライドさせた前記板部材を初期位置に戻すためのリセットボタンを備え、
前記リセットボタンは先端方向に行くに従って縮径するテーパ状部を備えており、
前記板部材には前記テーパ状部の先端が臨むように貫通孔が形成され、
前記リセットボタンが前記板部材に対して押し込まれたときに、前記テーパ状部が前記貫通孔に深く嵌り込むことで、前記板部材を前記初期位置に戻すことを特徴とする、請求項１又は２記載のリモートコントロール装置。
【発明の詳細な説明】
【技術分野】
【０００１】
この発明は、走行玩具などを遠隔操作するためのリモートコントロール装置に関するものである。
【背景技術】
【０００２】
従来、機器を遠隔操作するためのリモートコントロール装置として種々のものが提案されている。特に玩具の分野においては、リモートコントロール装置自体に面白みや意外性を持たせたものが存在する。こうした玩具のリモートコントロール装置においては、面白みや意外性の他にも複雑な操作を必要とせずに操作できる操作容易性が求められる。
【０００３】
例えば、特許文献１には、操作者の手の中に入る小型なサイズのコントローラーであって、コントローラー本体の底部を左右に傾けやすい曲面状に形成し、本体の上面前部に前進及び後退の一対のスイッチ部を設けて指による操作性を容易にし、また受信対象物を左右方向へ移動させるための左右方向スイッチをコントローラー本体の底部に配設又は本体に内蔵し、本体の前方に送信部を設けたものが開示されている。
【先行技術文献】
【特許文献】
【０００４】
【特許文献１】特開２００２−２８３８２号公報
【発明の概要】
【発明が解決しようとする課題】
【０００５】
本発明は、従来のリモートコントロール装置にはない新しい操作感を得られ、しかも直感的に操作できるリモートコントロール装置を提供することを課題とする。
【課題を解決するための手段】
【０００６】
本発明は、上記した課題を解決するためになされたものであり、以下を特徴とする。
【０００７】
（請求項１）
請求項１に記載の発明は、以下の点を特徴とする。
【０００８】
すなわち、請求項１に記載のリモートコントロール装置は、透明な板部材を枠体で保持して構成されるリモートコントロール装置であって、前記板部材が前記枠体に対してスライド可能に保持されるとともに、前記枠体の内部にはスイッチが設けられており、前記板部材には前記板部材がスライドしたときに前記スイッチを押下するスイッチ押下部が設けられ、前記板部材がスライドしたときにスライドする可視部分がすべて透明であることを特徴とする。
【０００９】
（請求項２）
請求項２に記載の発明は、上記した請求項１記載の発明の特徴点に加え、以下の点を特徴とする。
【００１０】
すなわち、前記スイッチとして、前後左右の各方向に対応した４つのスイッチを設け、前記板部材には、前記４つのスイッチの各々に対応した４つのスイッチ押下部を設けたことを特徴とする。
【００１１】
（請求項３）
請求項３に記載の発明は、上記した請求項１又は２記載の発明の特徴点に加え、以下の点を特徴とする。
【００１２】
すなわち、前記枠体に対してスライドさせた前記板部材を初期位置に戻すためのリセットボタンを備え、前記リセットボタンは先端方向に行くに従って縮径するテーパ状部を備えており、前記板部材には前記テーパ状部の先端が臨むように貫通孔が形成され、前記リセットボタンが前記板部材に対して押し込まれたときに、前記テーパ状部が前記貫通孔に深く嵌り込むことで、前記板部材を前記初期位置に戻すことを特徴とする。
【発明の効果】
【００１３】
請求項１に記載の発明は上記の通りであり、板部材が枠体に対してスライド可能に保持されるとともに、前記枠体の内部にはスイッチが設けられており、前記板部材には前記板部材がスライドしたときに前記スイッチを押下するスイッチ押下部が設けられている。このため、タッチパネルにおけるフリック操作のような操作を板部材に対して行うことで板部材がスライドし、これによりスイッチがオン／オフされるので、直感的な操作でリモートコントロールを実現できる。しかも、板部材が透明であるので、どのような仕組みでスイッチがオン／オフされているのかが不思議に感じられ、従来のリモートコントロール装置にはない新しい操作感を得られる。
【００１４】
また、請求項２に記載の発明は上記の通りであり、前記スイッチとして、前後左右の各方向に対応した４つのスイッチを設け、前記板部材には、前記４つのスイッチの各々に対応した４つのスイッチ押下部を設けた。このため、板部材を前後左右に動かすことで前後左右のスイッチのオン／オフが切り換えられるように形成でき、ラジコン玩具などに最適なリモートコントロール装置を提供することができる。
【００１５】
また、請求項３に記載の発明は上記の通りであり、前記枠体に対してスライドさせた前記板部材を初期位置に戻すためのリセットボタンを備え、前記リセットボタンが前記板部材に対して押し込まれたときに、テーパ状部が貫通孔に深く嵌り込むことで、前記板部材を初期位置に戻すように形成されている。このため、リセットボタンを押すことでスイッチの押下状態を容易に解除でき、しかもこのようなリセットボタンを複雑なソフトウェアや回路を必要とせずに実現することができる。
【図面の簡単な説明】
【００１６】
【図１】リモートコントロール装置の（ａ）正面図、（ｂ）右側面図である。
【図２】リモートコントロール装置の分解斜視図である。
【図３】板部材の（ａ）平面図、（ｂ）左側面図、（ｃ）正面図、（ｄ）右側面図、（ｅ）底面図である。
【図４】板部材の（ａ）Ａ−Ａ断面図、（ｂ）Ｂ−Ｂ断面図である。
【図５】リセットボタンの（ａ）正面図、（ｂ）右側面図、（ｃ）底面図である。
【図６】上枠部材を取り外したリモートコントロール装置を示す図であって、（ａ）正面図、（ｂ）Ｃ−Ｃ断面図である。
【図７】上枠部材を取り外した状態のリモートコントロール装置のＣ−Ｃ断面図であって、（ａ）初期状態を示す図、（ｂ）板部材を左にスライドさせた状態を示す図、（ｃ）リセットボタンを押下した状態を示す図である。
【図８】板部材がスライドする様子を示す図であって、（ａ）初期状態を示す図、（ｂ）板部材を左にスライドさせた状態を示す図、（ｃ）板部材を上にスライドさせた状態を示す図、（ｄ）板部材を左上にスライドさせた状態を示す図である。
【発明を実施するための形態】
【００１７】
本発明の実施形態について、図を参照しながら説明する。
【００１８】
なお、以下の説明においては、図１（ａ）における上方向を「前」、下方向を「後」、左方向を「左」、右方向を「右」として説明する。また、図１（ｂ）における左方向を「上」、右方向を「下」として説明する。
【００１９】
本実施形態に係るリモートコントロール装置１０は、ラジコン玩具（図示せず）などを遠隔操作するためのものであり、前後左右の方向に係る情報を赤外線などの光線として出力し、ラジコン玩具などの受光部が受信できるようにしたものである。すなわち、このリモートコントロール装置１０が出力した方向に係る情報を基に、ラジコン玩具などを操作可能としたものである。
【００２０】
このリモートコントロール装置１０は、図１に示すように、透明な板部材１４を枠体１１で保持して構成されるものであり、枠体１１の中央に設けられた開口１１ａに嵌め込まれた板部材１４を介して背後が透けて見えるように形成されている。また、この開口１１ａの後部にはリセットボタン１８が押下可能に突出して設けられている。
【００２１】
枠体１１は、図２に示すように、上枠部材１２と下枠部材１３とが貼り合わされて形成されており、その内部に板部材１４をスライド可能に保持している。
【００２２】
上枠部材１２には、前記した開口１１ａを形成するための開口窓１２ａが中央に形成されており、また、この開口窓１２ａの後部には、前記したリセットボタン１８の上面を露出させて突出させるためのボタン孔１２ｂが形成されている。
【００２３】
下枠部材１３には、前記した開口１１ａを形成するための開口窓１３ａが中央に形成されている。この開口窓１３ａは上枠部材１２の開口窓１２ａと対向する位置に設けられている。また、この下枠部材１３の開口窓１３ａの四隅には、板部材１４の可動範囲を規制するための支持軸１３ｂが上方へと突出形成されている。
【００２４】
板部材１４は、上記した上枠部材１２と下枠部材１３との間に配置されて支持されるものであって、図２に示すように、前記した開口１１ａよりもやや大きめに形成された樹脂製の透明な板状となっている。
【００２５】
この板部材１４の四隅には案内孔１４ａが貫通形成されており、前述した支持軸１３ｂが貫通できるようになっている。この案内孔１４ａは、支持軸１３ｂの径よりも５〜６ｍｍ程度大きめに形成された略四角形状の孔である。このため、板部材１４は、案内孔１４ａを貫通する支持軸１３ｂが規制する範囲内において、枠体１１に対して前後左右にスライド可能となっている。
【００２６】
また、この板部材１４には、前記した上枠部材１２のボタン孔１２ｂの直裏に当たる位置において、ボタン受け部１７が凹設されており、このボタン受け部１７と上枠部材１２との間にリセットボタン１８を配置できるようになっている。また、このボタン受け部１７には、図４に示すように、下方に行くに従って縮径するテーパ状に形成された貫通孔１７ａが設けられている。
【００２７】
また、この板部材１４の裏面（下枠部材１３に対向する面）には、図３に示すように、第１凸部１５と第２凸部１６との２つの突起が一体形成されている。第１凸部１５は、ボタン受け部１７の左側に形成されたＬ字状の突起であり、横方向に延在する後スイッチ押下部１５ａと、縦方向に延在する左スイッチ押下部１５ｂと、が連続した形状となっている。同様に、第２凸部１６は、ボタン受け部１７の右側に形成されたＬ字状の突起であり、横方向に延在する前スイッチ押下部１６ｂと、縦方向に延在する右スイッチ押下部１６ａと、が連続した形状となっている。
【００２８】
リセットボタン１８は、枠体１１に対してスライドさせた板部材１４を初期位置に戻すためのものであり、図５に示すように、下部に先端方向に行くに従って縮径するテーパ状部１８ａを備えている。このリセットボタン１８は、図６（ｂ）に示すように、テーパ状部１８ａの先端が板部材１４の貫通孔１７ａに臨むように配置されるとともに、圧縮バネ１９によって貫通孔１７ａから離反する方向に付勢されている。
【００２９】
なお、貫通孔１７ａの最小径部は少なくともテーパ状部１８ａの最大径部を超えない径で形成されており、かつ、貫通孔１７ａの最大径部はテーパ状部１８ａの最小径部よりも大径に形成されている。このため、テーパ状部１８ａは、少なくとも貫通孔１７ａの途中まで挿入可能であり、かつ、所定の位置まで挿入されたときに貫通孔１７ａに嵌り込み、テーパ状部１８ａの外周が貫通孔１７ａの内周に全周にわたって当接できるようになっている。
【００３０】
なお、枠体１１の内部、詳しくは下枠部材１３の内部には、図６に示すように、前後左右の各方向に対応した４つのスイッチが設けられている。すなわち、後スイッチ押下部１５ａ付近に設けられた後方向スイッチ２０と、左スイッチ押下部１５ｂ付近に設けられた左方向スイッチ２１と、右スイッチ押下部１６ａ付近に設けられた右方向スイッチ２２と、前スイッチ押下部１６ｂ付近に設けられた前方向スイッチ２３と、が設けられている。
【００３１】
この４つのスイッチは、それぞれ図６（ｂ）に示すように、上接片２４と下接片２６とを備えており、この上接片２４と下接片２６とが接触することにより導通してスイッチがＯＮとなるように形成されている。
【００３２】
この４つのスイッチは、特に図示しないが、電池を動力として作動する回路に接続されており、スイッチがＯＮとなったときに回路に信号を出力できるように形成されている。この回路は、発光ダイオードを備えて構成された光源装置（図示せず）にも接続されており、これによって、いずれかのスイッチがＯＮとなると、ＯＮとなったスイッチに対応した情報を含む赤外線情報が光源装置から発射され、発射された赤外線情報をラジコン玩具等が受信できるように形成されている。
【００３３】
ここで、後方向スイッチ２０は、上接片２４と下接片２６との開放端が前方向を向くように配置されており、その開放端が後スイッチ押下部１５ａに臨むようになっている。また、左方向スイッチ２１は、上接片２４と下接片２６との開放端が右方向を向くように配置されており、その開放端が左スイッチ押下部１５ｂに臨むようになっている。また、右方向スイッチ２２は、上接片２４と下接片２６との開放端が左方向を向くように配置されており、その開放端が右スイッチ押下部１６ａに臨むようになっている。また、前方向スイッチ２３は、上接片２４と下接片２６との開放端が後方向を向くように配置されており、その開放端が前スイッチ押下部１６ｂに臨むようになっている。
【００３４】
このため、板部材１４をスライドさせると、そのスライドさせた方向に応じて、各スイッチ押下部が対応するスイッチを押下する。
【００３５】
以下、左方向スイッチ２１と左スイッチ押下部１５ｂとを例に説明する。
【００３６】
図７（ａ）に示すように、板部材１４が初期状態で中央に位置している場合には、左方向スイッチ２１を含むいずれのスイッチも押下されていない。
【００３７】
この状態で板部材１４を左にスライドさせると、図７（ｂ）に示すように、左スイッチ押下部１５ｂが左方向スイッチ２１の上接片２４上部に形成された接触部２５に当接し、上接片２４を下方へと押しこむ。これにより、上接片２４が下方に湾曲して下接片２６に接触し、左方向スイッチ２１が通電し、赤外線情報が発射される。その後、特に操作しなければ図７（ｂ）の状態が維持され、赤外線情報が発射され続ける。
【００３８】
他の方向に入力を行いたい場合には板部材１４を別の方向にスライドさせればよいが、板部材１４を初期位置に戻して、いずれのスイッチも入力されていない状態に戻したい場合には、リセットボタン１８を圧縮バネ１９の付勢力に抗って下方へと押しこみ操作すればよい。リセットボタン１８を板部材１４に対して押し込むと、図７（ｃ）に示すように、テーパ状部１８ａが貫通孔１７ａに深く嵌り込むことで、板部材１４がテーパ状部１８ａのテーパ面に沿って摺動して初期位置へと戻る。これにより、左方向スイッチ２１が通電が解除され、赤外線情報の発射が停止する。
【００３９】
なお、上記した説明においては板部材１４を左にスライドさせた場合について説明したが、他の方向にスライドさせた場合でも同様である。すなわち、図８（ｂ）に示すように、板部材１４を左にスライドさせた場合には、左方向スイッチ２１が左スイッチ押下部１５ｂによって押下されてＯＮとなるが、反対に板部材１４を右にスライドさせた場合には、右方向スイッチ２２が右スイッチ押下部１６ａによって押下されてＯＮとなる。また、図８（ｃ）に示すように、板部材１４を前にスライドさせた場合には、前方向スイッチ２３が前スイッチ押下部１６ｂによって押下されてＯＮとなるが、反対に板部材１４を後ろにスライドさせた場合には、後方向スイッチ２０が後スイッチ押下部１５ａによって押下されてＯＮとなる。
【００４０】
また、板部材１４を斜めにスライドさせることも可能である。例えば、図８（ｄ）に示すように、板部材１４を左前方にスライドさせた場合には、左方向スイッチ２１が左スイッチ押下部１５ｂによって押下されてＯＮとなるとともに、前方向スイッチ２３が前スイッチ押下部１６ｂによって押下されてＯＮとなる。
【００４１】
このようなリモートコントロール装置１０を使用すれば、このリモートコントロール装置１０から受信した情報を基にラジコン玩具を作動させることができる。例えば、ラジコン玩具を、前方向スイッチ２３の入力を受けたときには前進、後方向スイッチ２０の入力を受けたときには後退、左方向スイッチ２１の入力を受けたときには左移動、右方向スイッチ２２の入力を受けたときには右移動、前方向スイッチ２３と左方向スイッチ２１又は右方向スイッチ２２との入力を受けたときには斜め左又は斜め右への前進、後方向スイッチ２０と左方向スイッチ２１又は右方向スイッチ２２との入力を受けたときには斜め左又は斜め右への後退するように形成すればよい。
【００４２】
なお、このリモートコントロール装置１０は、ラジコン玩具のみならず、他の機器の操作に用いてもよい。例えばゲーム機の操作や家電製品の操作などに用いてもよい。
【００４３】
また、本実施形態においては、リモートコントロール装置１０が赤外線などの光線を出力することで外部装置を操作することとしたが、これに限らず、有線で外部装置を操作するようにしてもよい。
【００４４】
また、本実施形態においては、板部材１４をスライドさせてスイッチがＯＮとなると、スライドした状態を維持し続けるため、リセットボタン１８が押下されるまではスイッチがＯＮのままで持続するように形成されている。しかしながら、本発明の実施形態としてはこれに限らず、スライドさせた板部材１４が自動的に戻るように形成してもよい。例えば、バネなどの付勢部材によって板部材１４を初期位置に付勢することにより、スライドさせた板部材１４が自動的に初期位置に戻るように形成してもよい。このように形成すれば、スイッチがＯＮのままで持続せず、一瞬スイッチがＯＮとなったあとに自動的にスイッチがＯＦＦとなる。このようなスイッチを設ければ、例えば、所定方向に板部材１４をスライドさせた時にラジコン玩具がクラクションを鳴らすようにすることができる。
【００４５】
また、上記したようにスライドさせた板部材１４が自動的に戻るように形成する場合において、すべての方向にスライドさせた場合に板部材１４が自動的に戻るようにしてもよいし、特定の方向にスライドさせた場合にのみ板部材１４が自動的に戻るようにしてもよい。特定の方向にスライドさせた場合にのみ板部材１４が自動的に戻るようにする例としては、例えば、前方向又は左右方向に板部材１４をスライドさせた場合にラジコン玩具が前方向又は左右方向に進み、後方向に板部材１４をスライドさせた場合にラジコン玩具がクラクションを鳴らすように形成した場合において、後方向にスライドさせた場合にのみ板部材１４が自動的に戻るように形成する態様などが考えられる。
【符号の説明】
【００４６】
１０  リモートコントロール装置
１１  枠体
１１ａ  開口
１２  上枠部材
１２ａ  開口窓
１２ｂ  ボタン孔
１３  下枠部材
１３ａ  開口窓
１３ｂ  支持軸
１４  板部材
１４ａ  案内孔
１５  第１凸部
１５ａ  後スイッチ押下部
１５ｂ  左スイッチ押下部
１６  第２凸部
１６ａ  右スイッチ押下部
１６ｂ  前スイッチ押下部
１７  ボタン受け部
１７ａ  貫通孔
１８  リセットボタン
１８ａ  テーパ状部
１９  圧縮バネ
２０  後方向スイッチ
２１  左方向スイッチ
２２  右方向スイッチ
２３  前方向スイッチ
２４  上接片
２５  接触部
２６  下接片
【図１】
0005808556.tif 000002
【図２】
0005808556.tif 000003
【図３】
0005808556.tif 000004
【図４】
0005808556.tif 000005
【図５】
0005808556.tif 000006
【図６】
0005808556.tif 000007
【図７】
0005808556.tif 000008
【図８】
0005808556.tif 000009